(57)【特許請求の範囲】
【請求項１】
前面に開口を有する長尺状のダクト本体内には、配線又は配管材が配設されるとともに、前記配線が接続される配線器具等を収容する又は配線若しくは配管材をダクト本体内に固定するための別体の配設部材が固定されている配線又は配管材の保護ダクトであって、
前記ダクト本体内の底壁の中央位置には、同底壁から突出し間隔をおいて相対向する一対の突条体が形成されるとともに、両突条体をほぼ中間あるいは先端部で連結する連結壁が形成されている固定部を設け、同固定部に前記配設部材をダクト本体内部に固定する固定ねじを強制的に螺入するとともに、前記連結壁を貫通して螺入することにより配設部材が固定されている配線又は配管材の保護ダクト。
【請求項２】
前面に開口を有する長尺状のダクト本体内には、配線又は配管材が配設されるとともに、前記配線が接続される配線器具等を収容する又は配線若しくは配管材をダクト本体内に固定するための別体の配設部材が固定されている配線又は配管材の保護ダクトであって、
前記ダクト本体内の底壁には、同底壁から突出し間隔をおいて相対向する一対の突条体が形成されるとともに、両突条体をほぼ中間あるいは先端部で連結する連結壁が形成されている固定部を複数箇所に設け、同固定部に前記配設部材をダクト本体内部に固定する固定ねじを強制的に螺入するとともに、前記連結壁を貫通して螺入することにより配設部材が固定されている配線又は配管材の保護ダクト。
【請求項３】
前記固定部はダクト本体の長尺方向に延びて形成されている請求項１又は請求項２に記載の配線又は配管材の保護ダクト。
【請求項４】
前記固定部はその基端部同士がダクト本体の底壁により連結されている請求項１〜請求項３のいずれかに記載の配線又は配管材の保護ダクト。
【請求項５】
前記固定部は連結壁より先端側に固定ねじを同連結壁方向へ案内するガイド部を備えている請求項１〜請求項４のいずれかに記載の配線又は配管材の保護ダクト。
【請求項６】
前記固定部にはダクト本体内を仕切る仕切り板が取り付けられる請求項１〜請求項５のいずれかに記載の配線又は配管材の保護ダクト。
【請求項７】
前記固定部のガイド部には前記仕切り板の基端部が嵌挿される請求項６に記載の配線又は配管材の保護ダクト。
【請求項８】
前記一対の突条体の先端縁にはそれぞれ外方へ突出する突片が形成され、前記仕切り板の基端部の両側面にはそれぞれ前記各突片に係止可能なフック部が形成されている請求項７に記載の配線又は配管材の保護ダクト。
【請求項９】
前記ダクト本体の底壁及び側壁と、配設部材の外面との間には空間が形成されている請求項１〜請求項８のいずれかに記載の配線又は配管材の保護ダクト。
【発明の詳細な説明】
【０００１】
【発明の属する技術分野】
この発明は、建築物の壁面に配置され、内部に配線、配管材や配線用ボックス等の配設部材が収容される配線又は配管材の保護ダクトに関するものである。
【０００２】
【従来の技術】
例えば、建物において、ケーブル等の配線や給水湯配管、空調管、エアコン用冷媒管等の配管材は壁面に沿って固定された保護ダクト内に収容されて外部から保護又は隠蔽されている。さらに、その保護ダクト内には、前記配線に接続される配線器具、例えばコンセントを収容固定する配設部材としての配線用ボックスが収容固定されたり、配線又は配管材を保護ダクト内に固定する配設部材としてのサドルが固定されたりする。
【０００３】
保護ダクトは長方形状の底部と、その底部の両長辺の側縁部に立設された相対向する一対の側壁とにより、断面略コ字状をなす長尺状に形成されている。また、保護ダクト内の底部には、固定部として、相対向する一対の突条が保護ダクトの長さ方向に沿って形成されている。
【０００４】
そして、例えば、保護ダクト内にコンセントが収容固定された配線用ボックスを収容し、その配線用ボックスに形成された固定孔から一対の突条間に固定ねじを強制的に螺入する。又は、配線又は配管材を保護ダクト内に収容し、さらに、サドルに形成された透孔から一対の突条間に固定ねじを強制的に螺入する。その結果、固定ねじが両突条の内面にねじ込まれるとともに、両突条に挟持され、固定ねじが突条に固定される。そして、配線用ボックス又はサドルが保護ダクト内に取付固定される。
【０００５】
【発明が解決しようとする課題】
ところが、上記従来構成では、両突条が撓んで拡開した場合、固定ねじのねじ山の突条内面への螺合及び両突条による挟持が緩んで固定ねじが突条間から抜け出てしまったりする。その結果、配線用ボックス又はサドルの保護ダクトに対する固定が不十分になり、コンセント又は配線若しくは配管材の保護ダクトに対する固定が不十分になるという問題があった。
【０００６】
また、コンセントにはプラグが抜き差しされる。そして、特にコンセントに差し込まれたプラグを抜くとき、コンセントひいては配線用ボックスが保護ダクトの開口側へ引っ張られる。すると、配線用ボックスを保護ダクトに固定している固定ねじに対して、突条間から抜け出る方向への力が作用して固定ねじが突条間から抜け出てしまったりする。その結果、配線用ボックスの保護ダクトに対する固定が不十分になり、コンセントの保護ダクトに対する固定が不十分になるという問題があった。
【０００７】
この発明は、このような従来技術に存在する問題点に着目してなされたものである。その目的とするところは、固定部が変形するのを防止して内部に配設部材、配線器具、配線及び配管材を安定した状態で固定することができる配線又は配管材の保護ダクトを提供することにある。
【０００８】
【課題を解決するための手段】
上記の目的を達成するために、請求項１に記載の発明の配線又は配管材の保護ダクトは、前面に開口を有する長尺状のダクト本体内には、配線又は配管材が配設されるとともに、前記配線が接続される配線器具等を収容する又は配線若しくは配管材をダクト本体内に固定するための別体の配設部材が固定されている配線又は配管材の保護ダクトであって、前記ダクト本体内の底壁の中央位置には、同底壁から突出し間隔をおいて相対向する一対の突条体が形成されるとともに、両突条体をほぼ中間あるいは先端部で連結する連結壁が形成されている固定部を設け、同固定部に前記配設部材をダクト本体内部に固定する固定ねじを強制的に螺入するとともに、前記連結壁を貫通して螺入することにより配設部材が固定されているものである。
【０００９】
請求項２に記載の発明の配線又は配管材の保護ダクトは、前面に開口を有する長尺状のダクト本体内には、配線又は配管材が配設されるとともに、前記配線が接続される配線器具等を収容する又は配線若しくは配管材をダクト本体内に固定するための別体の配設部材が固定されている配線又は配管材の保護ダクトであって、前記ダクト本体内の底壁には、同底壁から突出し間隔をおいて相対向する一対の突条体が形成されるとともに、両突条体をほぼ中間あるいは先端部で連結する連結壁が形成されている固定部を複数箇所に設け、同固定部に前記配設部材をダクト本体内部に固定する固定ねじを強制的に螺入するとともに、前記連結壁を貫通して螺入することにより配設部材が固定されているものである。
【００１０】
請求項３に記載の発明の配線又は配管材の保護ダクトは、請求項１又は請求項２に記載の発明において、前記固定部はダクト本体の長尺方向に延びて形成されているものである。
【００１１】
請求項４に記載の発明の配線又は配管材の保護ダクトは、請求項１〜請求項３のいずれかに記載の発明において、前記固定部はその基端部同士がダクト本体の底壁により連結されているものである。
【００１２】
請求項５に記載の発明の配線又は配管材の保護ダクトは、請求項１〜請求項４のいずれかに記載の発明において、前記固定部は連結壁より先端側に固定ねじを同連結壁方向へ案内するガイド部を備えているものである。
請求項６に記載の発明の配線又は配管材の保護ダクトは、請求項１〜請求項５のいずれかに記載の発明において、前記固定部にはダクト本体内を仕切る仕切り板が取り付けられるものである。
請求項７に記載の発明の配線又は配管材の保護ダクトは、請求項６に記載の発明において、前記固定部のガイド部には前記仕切り板の基端部が嵌挿されるものである。
請求項８に記載の発明の配線又は配管材の保護ダクトは、請求項７に記載の発明において、前記一対の突条体の先端縁にはそれぞれ外方へ突出する突片が形成され、前記仕切り板の基端部の両側面にはそれぞれ前記各突片に係止可能なフック部が形成されているものである。
請求項９に記載の発明の配線又は配管材の保護ダクトは、請求項１〜請求項８のいずれかに記載の発明において、前記ダクト本体の底壁及び側壁と、配設部材の外面との間には空間が形成されているものである。
【００１３】
【発明の実施の形態】
以下、この発明の実施形態を、図面に基づいて詳細に説明する。
図１〜図５に示すように、建物の壁面に横方向へ延びて固定される合成樹脂材料製の保護ダクト１０を構成するダクト本体１１は、押出成形法により成形されている。ダクト本体１１は平面細長四角板状をなす周壁としての底壁１２と、その底壁１２の対向する上下両側縁に形成された周壁としての一対の側壁１３とにより、前面側（図１では右側）に開口を有する断面略コ字状をなす長尺状に形成されている。底壁１２には、固定部としての一対の薄板状をなす突条体１４が、所定間隔をおいてダクト本体１１の長尺方向へ延びて立設されている。そして、両突条体１４はその延びる方向に沿って連続して相対向する対向面を備えている。また、両突条体１４の基端部同士は底壁１２により連結されている。
【００１４】
各突条体１４の先端縁にはそれぞれ１８０度反対方向へ突出する突片１５が形成されている。両突条体１４の対向する内面のほぼ中間には、それらの対向面同士を連結する連結壁１６が形成され、両突条体１４が外方へ拡開するのを防止するようになっている。両突条体１４間には、後述する配設部材をダクト本体１１内部に固定する固定ねじ１７が強制的に螺入され、前記連結壁１６はその固定ねじ１７により貫通可能になっている。
【００１５】
また、両突条体１４において、連結壁１６より先端側には固定ねじ１７を同連結壁１６方向へガイドするガイド部１４ａが形成されている。そして、図１及び図２に示すように、底壁１２に形成された図示されない透孔から固定ねじ１７を壁面にねじ込んでダクト本体１１を壁面に取付固定することができるようになっている。
【００１６】
図１及び図２に示すように、両側壁１３の内面において、その開口側の先端部からやや底壁１２側には、それぞれ内方へ水平に突出し、その先から断面略Ｕ字状に底壁１２方向へ突出する突出部１８が各側壁１３の長さ方向に沿って形成されている。その突出部１８には、ダクト本体１１の開口側から底壁１２方向へ係合溝１８ａが凹設されている。また、各突出部１８の外面には、それらの底部から開口側へ段差状をなす係止部１９が形成されている。そして、保護ダクト１０内には電力ケーブル、電話線、情報ケーブル、弱電ケーブル、中電ケーブル等の配線２７又は図示されないが給水湯配管、空調管、エアコン用冷媒管等の配管材が配設される。
【００１７】
図１に示すように、前記配線２７が接続される配線器具３５を収容する別体の配設部材としての配線器具収容ボックス２０（以下、単にボックス２０と称す）は、合成樹脂材料により開口部を有する四角箱状に形成され、保護ダクト１０の開口側からその内部へ収容される。そのボックス２０は、平面長方形状の底板２１と、その上下両側縁から立設された相対向する上壁２２と、下壁２３と、それらの先端部の左右両側を連結する一対の前壁２４とにより形成されている。両前壁２４の上下両側にはそれぞれ嵌合孔２６が形成されている。そして、保護ダクト１０内に配設された配線２７を左右両側からボックス２０内に引き込むことができるようになっている。
【００１８】
底板２１の左右両側端部にはそれぞれほぼ円盤状をなす固定突部２９が突出形成され、その中心には固定孔２８が形成されている。固定突部２９の裏面の上下両側には、それぞれ底板２１の長さ方向へ延びる一対の係止片３０が形成され、それらの間隔は前記一対の突条体１４の先端の上下方向への長さと対応している。また、各固定突部２９よりやや内方位置の底板２１上にはそれぞれ固定筒部３１がその先端をボックス２０の開口部に臨むように突出形成され、その中心には取付孔３７が穿設されている。上壁２２及び下壁２３の外面において、それらの左右両側の開口側及び中央の底板２１側には、係合凸条３２が上壁２２及び下壁２３の長さ方向に延びて形成されている。
【００１９】
そして、図４に示すように、ボックス２０を保護ダクト１０の開口側からその内部に収容し、上壁２２及び下壁２３の開口側の係合凸条３２を突出部１８の係止部１９に係合することにより、ボックス２０を保護ダクト１０に取り付けることができるようになっている。さらに、固定孔２８から突条体１４間に固定ねじ１７を強制的に螺入し、さらに、連結壁１６を貫通して螺入することにより、ボックス２０を保護ダクト１０に移動不能に固定することができるようになっている。
【００２０】
図１及び図３の破線に示すように、ボックス２０の開口部側に取り付けられる配線器具保持枠（以下、単に保持枠３４と称す）３４はほぼ四角板状をなし、その大きさはボックス２０の開口部とほぼ同じ大きさに形成されている。同保持枠３４は、その中央に電力用コンセント、モジュラーコンセント、スイッチ等の配線器具３５を保持可能に構成され、その配線器具３５にはボックス２０内に引き込まれた配線２７が接続される。
【００２１】
また、保持枠３４の左右両側にはそれぞれビス孔３６が形成され、両ビス孔３６から前記取付孔３７に取付ビス３８を螺合することにより、保持枠３４をボックス２０にその開口部を閉塞するように取り付けることができる。それと同時に、配線器具３５をボックス２０内に収容し、同ボックス２０に対して移動不能に保持することができるようになっている。
【００２２】
ボックス２０の開口側に取り付けられるプレート３９は四角板状に形成され、その中央には配線器具３５が通過可能な通過孔４０が形成されている。また、図１の破線に示すように、プレート３９の裏面の左右両側の上下部にはそれぞれ前壁２４の嵌合孔２６に嵌合可能な嵌合片４１が形成されている。そして、通過孔４０に配線器具３５を通過させ、各嵌合片４１をそれぞれ嵌合孔２６に嵌合してプレート３９をボックス２０の開口側に取り付けることができるようになっているとともに、配線器具３５の設置部周縁を閉塞するようになっている。
【００２３】
図１及び図５に示すように、保護ダクト１０内において、前記ボックス２０が配置されない位置の突条体１４には保護ダクト１０内を仕切る仕切り板４２が取り付けられる。その仕切り板４２の基端部の両側面には、それぞれ両突条体１４の突片１５に係止可能なフック部４３が形成されている。そして、仕切り板４２の基端側を突条体１４間に嵌挿するとともに、フック部４３を突片１５に係止させて仕切り板４２を突条体１４に取り付けることができるようになっている。
【００２４】
保護ダクト１０の開口側には、その開口を閉塞するカバー４４が取り付けられる。そのカバー４４は合成樹脂材料により細長四角板状に形成され、その裏面の両長辺側には前記突出部１８の係合溝１８ａに係合可能な係合片４５がカバー４４の長さ方向に沿って形成されている。そして、両係合片４５を係合溝１８ａに係合することにより、カバー４４を保護ダクト１０の開口側に取り付けることができるとともに、その開口が閉塞されるようになっている。
【００２５】
保護ダクト１０の作用を記載する。さて、図１に示すように、保護ダクト１０を左右方向へ延びるように建物の壁面に配置し、図２に示すように、固定ねじ１７を底壁１２の透孔を通過させて、固定ねじ１７を壁面にねじ込んで保護ダクト１０を壁面に取付固定する。
【００２６】
次に、仕切り板４２の基端側を突条体１４に取り付け、保護ダクト１０内を仕切る。次いで、保護ダクト１０内に配線２７を保護ダクト１０の長さ方向に沿って配設する。すると、仕切り板４２により種類の異なる配線２７を分別して配設することができ、配線２７が混線するのを防止したり、種類の異なるケーブル同士を絶縁できる。
【００２７】
次いで、図２の２点鎖線に示すように、ボックス２０の内部に配線２７を引込み、その配線２７に配線器具３５を接続する。さらに、その配線器具３５を保持枠３４に保持させ、その保持枠３４をボックス２０に取り付ける。その結果、配線器具３５がボックス２０内に収容され、同ボックス２０に対して移動不能に保持される。
【００２８】
続いて、ボックス２０を底壁１２側から保護ダクト１０の内部に収容し、さらに、ボックス２０を底壁１２方向へ押圧する。すると、図４に示すように、上壁２２及び下壁２３の開口側の係合凸条３２が突出部１８の係止部１９に係合して保護ダクト１０にボックス２０が取付られ、保護ダクト１０に仮止めされる。
【００２９】
次に、固定孔２８から突条体１４間に固定ねじ１７を強制的に螺入してボックス２０を保護ダクト１０に移動不能に取り付ける。このとき、連結壁１６により両突条体１４が拡開するのが防止されるため、固定ねじ１７は両突条体１４の内面に螺入されたままの状態が維持される。加えて、固定ねじ１７は連結壁１６を貫通している。その結果、固定ねじ１７のねじ山が両突条体１４の内面及び連結壁１６に係止した状態となり、固定ねじ１７が突条体１４間から抜け落ちるのが防止される。
【００３０】
さらに、両突条体１４の基端部は底壁１２により連結されているため、突条体１４はより一層拡開しにくくなる。従って、固定ねじ１７が突条体１４間から抜け落ちるのが防止される。加えて、突条体１４はダクト本体１１の長さ方向に沿って形成されているため、突条体１４の任意の位置から固定ねじ１７を螺入することができる。
【００３１】
保護ダクト１０の底壁１２及び両側壁１３の内面及び突出部１８の外面と、ボックス２０の外面との間には空間が形成され、その空間には複数本の配線２７が余裕を持って配設される。続いて、図３に示すように、ボックス２０の両側において、カバー４４によりボックス２０が収容されていない保護ダクト１０の開口を閉塞する。最後に、プレート３９をボックス２０の開口側に取り付けるとともに、配線器具３５の設置部周縁を閉塞する。その結果、壁面に配線器具３５が設置され、その配線器具３５に対して図示されないプラグが抜き差しされて使用される。
【００３２】
前記の実施形態によって発揮される効果について、以下に記載する。
・  両突条体１４は連結壁１６により連結されているため、その連結壁１６により両突条体１４が拡開して変形するのが防止される。そのため、突条体１４間に螺入された固定ねじ１７のねじ山がその両突条体１４の内面に螺入された状態が維持されて、固定ねじ１７が両者間から抜け出るのが防止される。その結果、ボックス２０、ひいては配線器具３５が保護ダクト１０から外れるのを防止して、それらを保護ダクト１０に安定した状態で確実に固定することができる。
【００３３】
同様の理由により、配線器具３５に差し込まれたプラグを抜くときに、配線器具３５ひいてはボックス２０が保護ダクト１０の開口側へ引っ張られても固定ねじ１７が突条体１４間から抜け出るのが防止される。その結果、ボックス２０、ひいては配線器具３５が保護ダクト１０から外れるのを、それらを保護ダクト１０に防止して安定した状態で確実に固定することができる。
【００３４】
・  両突条体１４はダクト本体１１の長さ方向に沿って形成されているため、突条体１４の任意の位置から固定ねじ１７を螺入することができる。そのため、ボックス２０を保護ダクト１０に対して位置あわせする必要がなく、その取付作業を容易に行うことができる。
【００３５】
・  固定部は底壁１２から突出形成された薄板状をなす突条体１４により形成されているため、固定部を容易に形成することができる。
・  突条体１４は底壁１２から突出形成され、その基端部は底壁１２により連結されているため、両突条体１４の基端部が開口している場合と異なり、連結壁１６との共働により両突条体１４をより一層拡開しにくくすることができる。また、ボックス２０の底壁１２の強度を向上させることができる。
【００３６】
・  突条体１４の先端側にはガイド部１４ａが形成されているため、ガイド部１４ａが形成されていない場合と異なり、固定ねじ１７を連結壁１６方向へ容易に案内することができ、固定ねじ１７の螺入作業を容易に行うことができる。
【００３７】
・  両突条体１４間は連結壁１６により連結されているため、固定ねじ１７のねじ山が連結壁１６に係止する。従って、連結壁１６が形成されてない場合と異なり、突条体１４間に螺入さた固定ねじ１７がより抜け出ず、ボックス２０、ひいては配線器具３５が保護ダクト１０から外れるのを防止して安定した状態で確実に固定することができる。
【００３８】
なお、実施形態において、説明を容易にするためにボックス２０を図１及び図６に示す上方の壁を上壁２２、下方の壁を下壁２３とし、上壁２２及び下壁２３の左右両側を連結する壁を前壁２４とした。しかし、これらの壁の名称は絶対的なものでなく、あくまでも便宜性を図るための相対的なものである。
【００３９】
なお、本実施形態は、次のように変更して具体化することも可能である。
（１）  図６及び図７に示すように、保護ダクト１０の両側壁１３の幅方向への長さを実施形態の保護ダクト１０の側壁１３より短く形成し、実施形態と同様の構成のボックス２０に配線器具３５を取付け、そのボックス２０の上壁２２及び下壁２３の底板２１側の係合凸条３２を係止部１９に係合して保護ダクト１０にボックス２０を取付けてもよい。仕切り板４２をその幅方向への長さを実施形態の仕切り板４２より短く形成する。
【００４０】
（２）  図８及び図９に示すように、保護ダクト１０の両側壁１３の幅方向への長さを実施形態の保護ダクト１０の側壁１３より長く形成する。さらに、その底壁１２上の上下両側に、それぞれ底壁１２の長さ方向に沿って延びるとともに、突条体１４と同じ高さの係止凸条４７を形成し、両係止凸条４７の、先端に外方へ突出する凸部４７ａをその長さ方向に沿って形成する。そして、ボックス２０が配置されていない位置において、断面Ｃ字状をなす細長板状の閉塞板４８の両端縁を両凸部４７ａにそれぞれ係止してもよい。
【００４１】
このように構成した場合、突条体１４と係止凸条４７との間に空間が形成され、その空間は閉塞板４８により閉塞される。そのため、弱電ケーブル等の配線２７を配設したとき、それらを保護することができる。
【００４２】
（３）  図１１に示すように、実施形態、前記（１）及び（２）のいずれかにおいて、一対の突条体１４をその延びる方向に沿って間隔をおいて形成してもよい。又は固定部として円筒状をなす筒部を底壁１２に形成し、その筒部の内面同士を連結壁１６により連結してもよい。このように構成した場合、保護ダクト１０の材料の節約を図ることができる。
【００４３】
（４）  実施形態、前記（１）及び（２）のいずれかにおいて、一対の突条体１４を、底壁１２の長さ方向に沿って延びるように又は間隔をおいて複数箇所に形成してもよい。このように構成した場合、ボックス２０の取付位置の変更に容易に対応することができる。
【００４４】
（５）  実施形態、前記（１）〜（４）のいずれかにおいて、一対の突条体１４を少なくとも一方の側壁１３の内面に形成してもよい。このように構成した場合、保護ダクト１０を側壁１３から壁面に固定することができる。また、ボックス２０を保護ダクト１０の側壁１３に取り付けることができる。
【００４５】
（６）  図１０に示すように、実施形態、前記（１）〜（５）のいずれかにおいて、ガイド部１４ａを省略し、両突条体１４の先端部を連結壁１６により連結してもよい。さらに、図１０の２点鎖線に示すように、連結壁１６の上面に、固定ねじ１７を突条体１４間に案内する案内溝５２を形成してもよい。このように構成した場合、ガイド部１４ａ及び突片１５分だけ材料の節約を図ることができる。
【００４６】
（７）  図１２に示すように、実施形態、前記（１）〜（６）のいずれかにおいて、一対の突条体１４の基端部同士を連結する底壁１２を省略し、開口形成してもよい。このように構成した場合、材料の節約を図ることができる。また、固定ねじ１７を連結壁１６を貫通して壁面にねじ込んでダクト本体１１を壁面に取付固定することができる。
【００４７】
（８）  実施形態、前記（１）〜（７）のいずれかにおいて、一対の突条体１４のうち一方のみを、他方の突条体１４と対向面を形成するように間隔をおいて形成してもよい。
【００４８】
（９）  係止片３０、仕切り板４２及びカバー４４の少なくとも１つを省略してもよい。このように構成した場合も、材料を節約を図ることができる。
（１０）  配線器具３５と保持枠３４とが一体化されたものをボックス２０に取り付けてもよい。このように構成した場合、ボックス２０への配線器具３５の取付時間の短縮を図ることができる。
【００４９】
（１１）  保護ダクト１０をその長さ方向が上下方向へ延びるように壁面に配置し、その保護ダクト１０にボックス２０を上下方向へ延びるように取り付けてもよい。
【００５０】
（１２）  図１３に示すように、保護ダクト１０内に給水湯配管、空調管、エアコン用冷媒管等の配管材４９を収容し、その配管材４９を保護ダクト１０内に固定する別体の配設部材としてのサドル５０を保護ダクト１０に固定してもよい。このように構成した場合、突条体１４間に螺入さた固定ねじ１７が両者間から抜け落ちず、サドル５０を保護ダクト１０に固定して、配管材４９が保護ダクト１０から外れるのを防止して安定した状態で確実に固定することができる。
【００５１】
（１３）  固定ねじ１７を外面にねじ山が形成されたボルト、木ねじ、ビス等に変更してもよい。
（１４）  実施形態、前記（１）及び（２）のいずれかにおいて、固定部として、対向面が少なくとも１箇所に形成されるように、所定間隔をおいて底壁１２全体を突出形成してもよい。
【００５２】
（１５）  突条体１４間に固定ねじ１７を強制的に螺入し、連結壁１６を貫通して、さらに、底壁１２を貫通して壁面にねじ込んでダクト本体１１を壁面に取付固定してもよい。このように構成した場合、固定ねじ１７のねじ山は突条体１４の内面、連結壁１６及び底壁１２に係止されるため、固定ねじ１７が突条体１４間から抜け出るのを防止して、保護ダクト１０が壁面から外れるのを防止することができる。また、連結壁１６により雨水等がダクト本体１１内に浸入するのを防止することができる。
【００５３】
さらに、前記実施形態より把握できる技術的思想について以下に記載する。
・  前記少なくとも一対の突条体の先端縁にはそれぞれ外方へ突出し、前記固定ねじを突条体間に案内する突片が形成されている請求項３〜請求項５のいずれかに記載の保護ダクト。
【００５４】
このように構成した場合、突片が形成されていない場合と比較して、固定ねじを突条体の間に案内しやすくすることができ、固定ねじの螺入作業を容易に行うことができる。
【００５６】
【発明の効果】
以上詳述したように、この発明によれば、次のような効果を奏する。
請求項１、２に記載の発明の配線又は配管材の保護ダクトは、固定部が変形するのを防止して内部に配設部材、配線器具、配線及び配管材を安定した状態で固定することができる。
【００５７】
請求項３に記載の発明の配線又は配管材の保護ダクトは、請求項１又は請求項２に記載の発明の効果に加えて、固定部の任意の位置から固定ねじを螺入することができ、配設部材のダクト本体に対する取付作業を容易に行うことができる。
【００５８】
請求項４に記載の発明の配線又は配管材の保護ダクトは、請求項１〜請求項３のいずれかに記載の発明の効果に加えて、固定部の基端部が開口している場合と異なり、固定部の拡開をより一層防止することができる。
【００５９】
請求項５に記載の発明の配線又は配管材の保護ダクトは、請求項１〜請求項４のいずれかに記載の発明の効果に加えて、固定ねじを連結壁方向へ容易に案内することができ、固定ねじの螺入作業を容易に行うことができる。
請求項６〜８に記載の発明の配線又は配管材の保護ダクトは、仕切り板により種類の異なる配線又は配管材を分別して配設することができ、配線又は配管材が混線するのを防止したり、種類の異なる配線を絶縁できる。
請求項９に記載の発明の配線又は配管材の保護ダクトは、請求項１〜請求項８のいずれかに記載の発明の効果に加えて、空間には複数本の配線が余裕を持って配設される。
【図面の簡単な説明】
【図１】実施形態の保護ダクト等を示す分解斜視図。
【図２】保護ダクトを壁面に取り付けた状態を示す側断面図。
【図３】配線器具収容ボックスにプレートを取り付けた状態の斜視図。
【図４】図３の４−４’線断面図。
【図５】図３の５−５’線断面図。
【図６】別例の保護ダクトを示す側断面図。
【図７】別例の保護ダクトを示す側断面図。
【図８】別例の保護ダクトを示す側断面図。
【図９】別例の保護ダクトを示す側断面図。
【図１０】別例の保護ダクトを示す部分斜視図。
【図１１】別例の保護ダクトを示す部分斜視図。
【図１２】別例の保護ダクトを示す側断面図。
【図１３】別例の保護ダクトを示す側断面図。
【符号の説明】
１０…保護ダクト、１１…ダクト本体、１２…周壁としての底壁、１４…固定部としての突条体、１４ａ…ガイド部、１６…連結壁、１７…固定ねじ、２０…配設部材としての配線器具収容ボックス、２７…配線、３５…配線器具、４９…配管材、５０…配設部材としてのサドル。
【図１】
0003550064.tif 000002
【図２】
0003550064.tif 000003
【図３】
0003550064.tif 000004
【図４】
0003550064.tif 000005
【図５】
0003550064.tif 000006
【図６】
0003550064.tif 000007
【図７】
0003550064.tif 000008
【図８】
0003550064.tif 000009
【図９】
0003550064.tif 000010
【図１０】
0003550064.tif 000011
【図１１】
0003550064.tif 000012
【図１２】
0003550064.tif 000013
【図１３】
0003550064.tif 000014